(57)【特許請求の範囲】
【請求項１】
無線通信の方法であって、
ユーザ機器（ＵＥ）において、近隣セルのチャネル状態情報基準信号（ＣＳＩ−ＲＳ）コンフィギュレーションを定義する第１のパラメータを受信することと、
前記ＵＥにおいて、前記近隣セルのページング・コンフィギュレーションを定義する第２のパラメータを受信することと、ここで、前記ページング・コンフィギュレーションは前記近隣セルの、ページングメッセージを含む少なくとも１つのサブフレームを指示し、前記第１のパラメータ及び第２のパラメータは、前記ＵＥがＣＳＩ−ＲＳ測定を実行するために前記近隣セル及びサービス提供セルの双方のＣＳＩ−ＲＳを使用するときに受信される、
前記ＵＥにおいて、前記第１のパラメータから、前記近隣セルの前記ＣＳＩ−ＲＳコンフィギュレーションを決定することと、
前記ＵＥにおいて、前記第２のパラメータから、前記近隣セルの前記ページング・コンフィギュレーションを決定することと、
前記ＵＥにおいて、前記近隣セルの少なくとも前記ページング・コンフィギュレーション及び前記ＣＳＩ−ＲＳコンフィギュレーションから、前記近隣セルの欠落したＣＳＩ−ＲＳリソースの位置、または、前記近隣セルの少なくとも１つのリソース要素のミューティングが実行されるかどうか、または、それらの双方を決定することと、
前記欠落したＣＳＩ−ＲＳリソースの前記決定された位置、または前記少なくとも１つのリソース要素の前記ミューティングが実行されるかどうかに少なくとも一部基づいて、少なくとも前記サービス提供セル、他の近隣セル、またはそれら双方の前記ＣＳＩ−ＲＳを測定することと、
少なくとも前記サービス提供セル、他の近隣セル、またはそれら双方の前記測定されたＣＳＩ−ＲＳをレポートすることと、
を備える方法。
【請求項２】
前記ＵＥが、複数のセルの前記第１のパラメータ及び前記第２のパラメータを受信する、請求項１に記載の方法。
【請求項３】
前記複数のセルが、前記サービス提供セル及び前記近隣セルを備える、請求項２に記載の方法。
【請求項４】
前記第１のパラメータ及び前記第２のパラメータはサービス提供基地局から受信される、請求項１に記載の方法。
【請求項５】
前記サービス提供基地局は、Ｓ１インタフェース、Ｘ２インタフェース、または、動作・アドミニストレーションおよびメンテナンス（ＯＡＭ）メッセージ介して前記第１のパラメータ及び前記第２のパラメータを受信する、請求項４に記載の方法。
【請求項６】
前記第２のパラメータは、近隣セルの前記第１のパラメータまたはミューティング・コンフィギュレーションを含むメッセージ中に含まれる、請求項１に記載の方法。
【請求項７】
無線通信のための装置であって、
ユーザ機器（ＵＥ）において、近隣セルのチャネル状態情報基準信号（ＣＳＩ−ＲＳ）コンフィギュレーションを定義する第１のパラメータを受信する手段と、
前記ＵＥにおいて、前記近隣セルのページング・コンフィギュレーションを定義する第２のパラメータを受信する手段と、ここで、前記ページング・コンフィギュレーションは前記近隣セルの、ページングメッセージを含む少なくとも１つのサブフレームを指示し、前記第１のパラメータ及び第２のパラメータは、前記ＵＥがＣＳＩ−ＲＳ測定を実行するために前記近隣セル及びサービス提供セルの双方のＣＳＩ−ＲＳを使用するときに受信される、
前記ＵＥにおいて、前記第１のパラメータから、前記近隣セルの前記ＣＳＩ−ＲＳコンフィギュレーションを決定する手段と、
前記ＵＥにおいて、前記第２のパラメータから、前記近隣セルの前記ページング・コンフィギュレーションを決定する手段と、
前記ＵＥにおいて、前記近隣セルの少なくとも前記ページング・コンフィギュレーション及び前記ＣＳＩ−ＲＳコンフィギュレーションから、前記近隣セルの欠落したＣＳＩ−ＲＳリソースの位置、または、前記近隣セルの少なくとも１つのリソース要素のミューティングが実行されるかどうか、または、それらの双方を決定する手段と、
前記欠落したＣＳＩ−ＲＳリソースの前記決定された位置、または前記少なくとも１つのリソース要素の前記ミューティングが実行されるかどうかに少なくとも一部基づいて、少なくとも前記サービス提供セル、他の近隣セル、またはそれら双方の前記ＣＳＩ−ＲＳを測定する手段と、
少なくとも前記サービス提供セル、他の近隣セル、またはそれら双方の前記測定されたＣＳＩ−ＲＳをレポートする手段と、
を備える装置。
【請求項８】
無線通信のためのユーザ機器（ＵＥ）であって、
メモリと、
前記メモリに接続された少なくとも１つのプロセッサとを備え、
前記少なくとも１つのプロセッサは、
近隣セルのチャネル状態情報基準信号（ＣＳＩ−ＲＳ）コンフィギュレーションを定義する第１のパラメータを受信し、
前記近隣セルのページング・コンフィギュレーションを定義する第２のパラメータを受信し、ここで、前記ページング・コンフィギュレーションは前記近隣セルの、ページングメッセージを含む少なくとも１つのサブフレームを指示し、前記第１のパラメータ及び第２のパラメータは、前記ＵＥがＣＳＩ−ＲＳ測定を実行するために前記近隣セル及びサービス提供セルの双方のＣＳＩ−ＲＳを使用するときに受信される、
前記第１のパラメータから、前記近隣セルの前記ＣＳＩ−ＲＳコンフィギュレーションを決定し、
前記第２のパラメータから、前記近隣セルの前記ページング・コンフィギュレーションを決定し、
前記近隣セルの少なくとも前記ページング・コンフィギュレーション及び前記ＣＳＩ−ＲＳコンフィギュレーションから、前記近隣セルの欠落したＣＳＩ−ＲＳリソースの位置、または、前記近隣セルの少なくとも１つのリソース要素のミューティングが実行されるかどうか、または、それらの双方を決定し、
前記欠落したＣＳＩ−ＲＳリソースの前記決定された位置、または前記少なくとも１つのリソース要素の前記ミューティングが実行されるかどうかに少なくとも一部基づいて、少なくとも前記サービス提供セル、他の近隣セル、またはそれら双方の前記ＣＳＩ−ＲＳを測定し、
少なくとも前記サービス提供セル、他の近隣セル、またはそれら双方の前記測定されたＣＳＩ−ＲＳをレポートする
ように構成された、ＵＥ。
【請求項９】
前記ＵＥが、複数のセルの前記第１のパラメータ及び前記第２のパラメータを受信する、請求項８に記載のＵＥ。
【請求項１０】
前記複数のセルが、前記サービス提供セル及び前記近隣セルを備える、請求項９に記載のＵＥ。
【請求項１１】
前記第１のパラメータ及び前記第２のパラメータはサービス提供基地局から受信される、請求項８に記載のＵＥ。
【請求項１２】
前記サービス提供基地局は、Ｓ１インタフェース、Ｘ２インタフェース、または、動作・アドミニストレーションおよびメンテナンス（ＯＡＭ）メッセージを介して前記第１のパラメータ及び前記第２のパラメータを受信する、請求項１１に記載のＵＥ。
【請求項１３】
前記パラメータは、近隣セルのＣＳＩ−ＲＳコンフィギュレーションおよびミューティング・コンフィギュレーションのうちの少なくとも１つを含むメッセージ中に含まれる、請求項８に記載のＵＥ。
【請求項１４】
無線ネットワークにおける無線通信のための、プログラム・コードを記憶したコンピュータ可読記憶媒体であって、前記プログラム・コードは、それがプロセッサによって実行されたとき、前記プロセッサに、
ユーザ機器（ＵＥ）において、近隣セルのチャネル状態情報基準信号（ＣＳＩ−ＲＳ）コンフィギュレーションを定義する第１のパラメータを受信させ、
前記ＵＥにおいて、前記近隣セルのページング・コンフィギュレーションを定義する第２のパラメータを受信させ、ここで、前記ページング・コンフィギュレーションは前記近隣セルの、ページングメッセージを含む少なくとも１つのサブフレームを指示し、前記第１のパラメータ及び第２のパラメータは、前記ＵＥがＣＳＩ−ＲＳ測定を実行するために前記近隣セル及びサービス提供セルの双方のＣＳＩ−ＲＳを使用するときに受信される、
前記ＵＥにおいて、前記第１のパラメータから、前記近隣セルの前記ＣＳＩ−ＲＳコンフィギュレーションを決定させ、
前記ＵＥにおいて、前記第２のパラメータから、前記近隣セルの前記ページング・コンフィギュレーションを決定させ、
前記ＵＥにおいて、前記近隣セルの少なくとも前記ページング・コンフィギュレーション及び前記ＣＳＩ−ＲＳコンフィギュレーションから、前記近隣セルの欠落したＣＳＩ−ＲＳリソースの位置、または、前記近隣セルの少なくとも１つのリソース要素のミューティングが実行されるかどうか、または、それらの双方を決定させ、
前記欠落したＣＳＩ−ＲＳリソースの前記決定された位置、または前記少なくとも１つのリソース要素の前記ミューティングが実行されるかどうかに少なくとも一部基づいて、少なくとも前記サービス提供セル、他の近隣セル、またはそれら双方の前記ＣＳＩ−ＲＳを測定させ、
少なくとも前記サービス提供セル、他の近隣セル、またはそれら双方の前記測定されたＣＳＩ−ＲＳをレポートさせる、
コンピュータ可読記憶媒体。
【発明の詳細な説明】
【関連出願に対する相互参照】
【０００１】
本願は、２０１１年１月６日に出願された、「ページング・コンフィギュレーションおよびチャネル状態情報基準信号（ＣＳＩ−ＲＳ）コンフィギュレーションをシグナリングする方法および装置」（METHOD AND APPARATUS FOR SIGNALING PAGING CONFIGURATIONS AND CHANNEL STATE INFORMATION REFERENCE SIGNAL (CSI-RS) CONFIGURATIONS）と題された米国仮特許出願６１／４３０，４９８号に対する３５Ｕ．Ｓ．Ｃ．§１１９（ｅ）の下の利益を主張する。この出願の内容は、その全体が本明細書において参照によって組み込まれている。
【技術分野】
【０００２】
本開示のある態様は、一般に、無線通信システムに関し、さらに詳しくは、ページング・コンフィギュレーションをシグナリングする方法に関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００４】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉と遭遇しうる。アップリンクでは、ＵＥからの送信が、近隣の基地局と通信する別のＵＥのアップリンク送信からの、または、別の無線ＲＦ送信機からの干渉と遭遇しうる。この干渉は、ダウンリンクとアップリンクとの両方のパフォーマンスを低下させうる。
【０００５】
モバイル・ブロードバンド・アクセスに対する需要が増加し続けているので、ＵＥが長距離無線通信ネットワークにアクセスすることや、短距離無線システムがコミュニティにおいて展開されることにより、干渉や混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００６】
本開示の１つの態様によれば、ページング・コンフィギュレーションをシグナリングする方法が記載される。この方法は、近隣セルのページング・コンフィギュレーションを受信することを含む。
【０００７】
他の態様では、チャネル状態情報基準信号コンフィギュレーションをシグナリングする方法が記載される。この方法は、近隣セルのチャネル状態情報基準信号（ＣＳＩ−ＲＳ）コンフィギュレーションを受信することを含む。
【０００８】
さらなる態様では、ページング・コンフィギュレーションをシグナリングする装置が記載される。この装置は、近隣セルのページング・コンフィギュレーションを受信する手段を含む。この装置はさらに、受信されたコンフィギュレーションにしたがって、チャネル状態情報基準信号（ＣＳＩ−ＲＳ）位置および／またはミュートされたリソース要素位置を決定する手段を含む。
【０００９】
他の態様によれば、チャネル状態情報基準信号コンフィギュレーションをシグナリングする装置が記載される。この装置は、近隣セルのチャネル状態情報基準信号（ＣＳＩ−ＲＳ）コンフィギュレーションを受信する手段を含む。この装置はさらに、受信されたコンフィギュレーションにしたがってＣＳＩ−ＲＳをモニタする手段を含む。
【００１０】
さらなる態様では、ページング・コンフィギュレーションをシグナリングする装置が記載される。この装置は、少なくとも１つのプロセッサと、少なくとも１つのプロセッサに接続されたメモリとを含む。プロセッサ（単数または複数）は、近隣セルのページング・コンフィギュレーションを受信するように構成される。このプロセッサ（単数または複数）はさらに、受信されたコンフィギュレーションにしたがって、チャネル状態情報基準信号（ＣＳＩ−ＲＳ）位置および／またはミュートされたリソース要素位置を決定するように構成される。
【００１１】
他の態様では、チャネル状態情報基準信号コンフィギュレーションをシグナリングする装置が記載される。この装置は、少なくとも１つのプロセッサと、少なくとも１つのプロセッサに接続されたメモリとを含む。プロセッサ（単数または複数）は、近隣セルのチャネル状態情報基準信号（ＣＳＩ−ＲＳ）コンフィギュレーションを受信するように構成される。このプロセッサ（単数または複数）はさらに、受信されたコンフィギュレーションにしたがってＣＳＩ−ＲＳをモニタするように構成される。
【００１２】
さらなる態様では、ページング・コンフィギュレーションをシグナリングするためのコンピュータ・プログラム製品が記載される。このコンピュータ・プログラム製品は、記録されたプログラム・コードを有する非一時的なコンピュータ読取可能な媒体を含む。このコンピュータ・プログラム製品は、近隣セルのページング・コンフィギュレーションを受信するためのプログラム・コードを有する。このコンピュータ・プログラム製品はさらに、受信されたコンフィギュレーションにしたがって、チャネル状態情報基準信号（ＣＳＩ−ＲＳ）位置および／またはミュートされたリソース要素位置を決定するためのプログラム・コードを有する。
【００１３】
さらなる態様によれば、チャネル状態情報基準信号コンフィギュレーションをシグナリングするためのコンピュータ・プログラム製品が記載される。このコンピュータ・プログラム製品は、記録されたプログラム・コードを有する非一時的なコンピュータ読取可能な媒体を含む。このコンピュータ・プログラム製品は、近隣セルのチャネル状態情報基準信号（ＣＳＩ−ＲＳ）コンフィギュレーションを受信するためのプログラム・コードを有する。このコンピュータ・プログラム製品はさらに、受信されたコンフィギュレーションにしたがってＣＳＩ−ＲＳをモニタするためのプログラム・コードを有する。
【００１４】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１５】
本開示の特徴、特性、および利点は、同一の参照符号が全体を通じて同一物に特定している図面とともに考慮された場合、以下に記載する詳細な記載からより明らかになるだろう。
【図１】図１は、モバイル通信システムの例を概念的に例示するブロック図である。
【図２】図２は、モバイル通信システムにおけるダウンリンク・フレーム構造の例を概念的に例示するブロック図である。
【図３】図３は、アップリンク通信における典型的なフレーム構造を概念的に例示するブロック図である。
【図４】図４は、本開示の１つの態様にしたがって構成された基地局／ｅノードＢとＵＥとの設計を概念的に例示するブロック図である。
【図５】図５は、ＣＳＩ−ＲＳ送信とのページング・サブフレーム送信におけるオーバーラップを示す。
【図６】図６は、ページング・コンフィギュレーションおよびＣＳＩ−ＲＳコンフィギュレーションをシグナリングするための方法を例示するブロック図である。
【図７】図７は、ページング・コンフィギュレーションを受信し、近隣セルのＣＳＩ−ＲＳがいつ生じるか、を計算するための方法を例示するブロック図である。
【図８】図８は、ページング・コンフィギュレーションを受信し、近隣セルのミュートがいつ生じるか、を計算するための構成要素を例示するブロック図である。
【図９】図９は、ページング・コンフィギュレーションを受信し、衝突を判定する、ための方法を例示するブロック図である。
【図１０】図１０は、ページング・コンフィギュレーションを受信するための構成要素を例示するブロック図である。
【図１１】図１１は、ＣＳＩ−ＲＳコンフィギュレーションを受信するための構成要素を例示するブロック図である。
【発明の詳細な説明】
【００１６】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１７】
本明細書で記載された技術は、例えば、符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリア周波数分割多元接続（ＳＣ−ＦＤＭＡ）ネットワーク、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ（登録商標））、およびＣＤＭＡのその他の変形を含んでいる。ＣＤＭＡ２０００技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ
８０２．１１（Ｗｉ−Ｆｉ(登録商標）)、ＩＥＥＥ  ８０２．１６（ＷｉＭＡＸ（登録商標））、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる団体からの文書に記載されている。ｃｄｍａ２０００およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりに、これらはともに“ＬＴＥ／−Ａ”と称される）について記載されており、このようなＬＴＥ−Ａ用語が以下の説明の多くで使用される。
【００１８】
図１は、セルのページング・コンフィギュレーションがＵＥへ送信されうる、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効通信範囲を提供する。３ＧＰＰでは、用語「セル」は、この用語が使用される文脈に依存して、有効通信範囲エリアにサービス提供しているｅノードＢおよび／またはｅノードＢサブシステムからなる特定の地理的有効通信範囲エリアを称しうる。
【００１９】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、無制限のアクセスに加えて、フェムト・セルとの関連付けを持つＵＥ（例えば、クローズド加入者グループ（ＣＳＧ）内のＵＥ、住宅内のユーザのためのＵＥ等）による制限付のアクセスをも提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００２０】
無線ネットワーク１００はさらに、中継局をも含みうる。中継局は、データおよび／またはその他の情報の送信を上流局（例えば、ｅノードＢ、ＵＥ等）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２１】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２２】
無線ネットワーク１００は、同期動作をサポートしうる。同期動作のために、ｅノードＢは、類似のフレーム・タイミングを有し、異なるｅノードＢからの送信は、時間的にほぼ揃えられうる。ここに記載された技術は、同期動作のために使用されうる。
【００２３】
１つの態様では、無線ネットワーク１００は、周波数分割デュプレクス（ＦＤＤ）動作モードまたは時分割デュプレクス（ＴＤＤ）動作モードをサポートしうる。ここに記載された技術は、ＦＤＤ動作モードまたはＴＤＤ動作モードのために使用されうる。
【００２４】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００２５】
無線ネットワーク１００の全体にわたって、ＵＥ１２０（例えば、ＵＥ１２０ｘ、ＵＥ１２０ｙ等）が分布しうる。そして、おのおののＵＥは、固定式または移動式でありうる。ＵＥは、端末、ユーザ機器、移動局、加入者ユニット、局等とも称されうる。ＵＥは、セルラ電話（例えば、スマート・フォン）、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット、ネットブック、スマート・ブック等でありうる。ＵＥは、マクロｅノードＢ、ピコｅノードＢ、フェムトｅノードＢ、リレー等と通信することができうる。図１では、両矢印の実線が、ＵＥと、ダウンリンクおよび／またはアップリンクでＵＥにサービス提供するように指定されたｅノードＢであるサービス提供ｅノードＢとの間の所望の送信を示す。両矢印の破線は、ＵＥとｅノードＢとの間の干渉送信を示す。
【００２６】
ＬＴＥは、ダウンリンクで直交周波数分割多重（ＯＦＤＭ）を、アップリンクでシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに分割する。おのおののサブキャリアは、データで変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ分割されうる。例えば、サブ帯域は、１．０８ＭＨｚ（すなわち、６リソース・ブロック）をカバーし、１．２５，２．５，５，１０，１５，または２０ＭＨｚの対応するシステム帯域幅についてそれぞれ１，２，４，８，または１６のサブ帯域が存在しうる。
【００２７】
図２は、ＬＴＥにおいて使用されるダウンリンクＦＤＤ構造を示す。ダウンリンクの送信タイムラインは、ラジオ・フレームの単位に分割されうる。おのおののラジオ・フレームは、（例えば１０ミリ秒（ｍｓ）のような）予め定められた持続時間を有し、０乃至９のインデクスを付された１０個のサブフレームへ分割されうる。おのおののサブフレームは、２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、例えば、７つのシンボル期間を含み、拡張されたサイクリック・プレフィクスの場合、６つのシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ分割されうる。おのおののリソース・ブロックは、１つのスロットにおいてＮ個のサブキャリア（例えば、１２のサブキャリア）をカバーしうる。
【００２８】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００２９】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、小さなシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動反復要求（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３０】
ｅノードＢは、ｅノードＢによって使用されるシステム帯域幅の中央の１．０８ＭＨｚでＰＳＣ、ＳＳＳ、およびＰＢＣＨを送信しうる。ｅノードＢは、これらのチャネルが送信される各シンボル期間において、システム帯域幅全体で、ＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３１】
各シンボル期間において、多くのリソース要素が利用可能でありうる。おのおののリソース要素は、１つのシンボル期間において１つのサブキャリアをカバーしうる。そして、実数値または複素数値である１つの変調シンボルを送信するために使用されうる。制御チャネルのために使用されるシンボルのために、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０内に４つのＲＥＧを占有しうる。これらは、周波数にわたってほぼ均等に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧからなるある組み合わせのみが、ＰＤＣＣＨのために許容されうる。
【００３２】
ＵＥは、ＰＨＩＣＨとＰＣＦＩＣＨとのために使用された特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３３】
ＵＥは、複数のｅノードＢの有効通信範囲内に存在しうる。これらのｅノードＢのうちの１つが、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００３４】
図３は、アップリンク・ロング・ターム・イボリューション（ＬＴＥ）通信における典型的なＦＤＤおよびＴＤＤ（特別ではないサブフレームのみの）サブフレーム構造３００を概念的に例示するブロック図である。アップリンクのために利用可能なリソース・ブロック（ＲＢ）は、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥは、連続するサブキャリアのすべてがデータ・セクション内に割り当てられるようになる。
【００３５】
ＵＥは、ｅノードＢへ制御情報を送信するために、制御セクション内にリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和されたシングル・キャリア動作において、ＵＬリソースで並列なチャネルが送信されうる。例えば、制御およびデータ・チャネル、並列制御チャネル、および並列データ・チャネルが、ＵＥによって送信されうる。
【００３６】
ＰＳＣ（一次同期キャリア）、ＳＳＣ（二次同期キャリア）、ＣＲＳ（共通基準信号）、ＰＢＣＨ（物理ブロードキャスト・チャネル）、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３７】
図４は、図１における基地局／ｅノードＢのうちの１つ、およびＵＥのうちの１つでありうる、基地局／ｅノードＢ１１０とＵＥ１２０との設計のブロック図を示す。例えば、基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００３８】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データおよび制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、データ・シンボル、制御シンボル、および／または基準シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔを介してそれぞれ送信されうる。
【００３９】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４０】
アップリンクでは、ＵＥ１２０において、送信プロセッサ４６４が、データ・ソース４６２から（例えば、ＰＵＳＣＨのための）データを、コントローラ／プロセッサ４８０から（例えば、ＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信されうる。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得されうる。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４１】
コントローラ／プロセッサ４４０，４８０は、基地局１１０およびＵＥ１２０それぞれにおける動作を指示しうる。基地局１１０／ＵＥ１２０におけるプロセッサ４４０／４８０および／またはその他のプロセッサおよびモジュールは、方法フロー・チャート図６−９に例示された機能ブロック、および／または、本明細書に記載された技術のためのその他の処理の実行または実行の指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４２】
（ヘテロジニアスなネットワーク）  
無線ネットワークは、異なる電力クラスのｅノードＢを有しうる。例えば、電力クラスが減少するに際し、マクロｅノードＢ、ピコｅノードＢ、およびフェムトｅノードＢのように、３つの電力クラスが定義されうる。このように異なる電力クラスのｅノードＢを特徴とするネットワークは、ヘテロジニアスなネットワークと称されうる。マクロｅノードＢ、ピコｅノードＢ、およびフェムトｅノードＢが同一チャネルに配置されている場合、マクロｅノードＢ（攻撃ｅノードＢ）の電力スペクトル密度（ＰＳＤ）は、ピコｅノードＢおよびフェムトｅノードＢ（犠牲ｅノードＢｓ）のＰＳＤよりも大きく、ピコｅノードＢとフェムトｅノードＢとに多大な干渉をもたらしうる。保護サブフレームは、ピコｅノードＢおよびフェムトｅノードＢとの干渉を低減または最小化するために使用されうる。すなわち、保護サブフレームは、犠牲ｅノードＢが、攻撃ｅノードＢにおける禁止サブフレームに対応するようにスケジュールされうる。
【００４３】
図１に戻って示すように、ヘテロジニアスな無線ネットワーク１００は、単位エリア毎のシステムのスペクトル効率を改善するために、ｅノードＢ１１０の多様なセット（すなわち、マクロｅノードＢ、ピコｅノードＢ、フェムトｅノードＢ、およびリレー）を使用する。マクロｅノードＢ１１０ａ−ｃは、通常、無線ネットワーク１００のプロバイダによって、注意深く計画され、配置される。マクロｅノードＢ１１０ａ−ｃは、一般に、高い電力レベル（例えば、５Ｗ−４０Ｗ）で送信する。一般に、実質的に低い電力レベル（例えば、１００ｍＷ−２Ｗ）で送信するピコｅノードＢ１１０ｘおよびリレー１１０ｒは、マクロｅノードＢ１１０ａ−ｃによって提供される有効通信範囲エリアにおける有効通信範囲ホールをなくしてホット・スポットにおける容量を改善するために、比較的無計画な方式で配置されうる。一般に、無線ネットワーク１００から独立して配置されるフェムトｅノードＢ１１０ｙ−ｚはやはり、アドミニストレータ（単数または複数）によって許可されている場合には、無線ネットワーク１００への潜在的なアクセス・ポイントとして、または、リソース調整および干渉管理の調整を実行するために、無線ネットワーク１００の他のｅノードＢ１１０と通信しうる、少なくともアクティブでアウェアなｅノードＢとして、の何れかとして、無線ネットワーク１００の有効通信範囲エリアへ組み込まれうる。また、フェムトｅノードＢ１１０ｙ−ｚは、一般に、マクロｅノードＢ１１０ａ−ｃよりも実質的に低い電力レベル（例えば、１００ｍＷ−２Ｗ）でも送信する。
【００４４】
例えば無線ネットワーク１００のようなヘテロジニアスなネットワークの動作では、おのおののＵＥは、通常、良好な信号品質のｅノードＢ１１０によってサービス提供される一方、他のｅノードＢ１１０から受信された、求められない信号は、干渉として取り扱われる。このような動作原理は、最適とはいえないパフォーマンスをもたらす一方、ｅノードＢ１１０間における高度なリソース調整、より良好なサーバ選択戦略、および、効率的な干渉管理のためのより進化した技術を用いることによって、無線ネットワーク１００におけるネットワーク・パフォーマンスの向上が達成される。
【００４５】
例えばピコｅノードＢ１１０ｘのようなピコｅノードＢは、例えばマクロｅノードＢ１１０ａ−ｃのようなマクロｅノードＢと比較された場合、実質的に低い送信電力によって特徴付けられる。また、ピコｅノードＢは、通常、アド・ホック方式では、例えば無線ネットワーク１００のようなネットワークの周囲に配置されるだろう。この無計画な配置によって、例えば無線ネットワーク１００のような、ピコｅノードＢ配置を伴う無線ネットワークは、低い信号対干渉条件を持つ広いエリアを有することが期待されうる。これは、有効通信範囲エリアまたはセルの端部のＵＥ（「セル・エッジ」ＵＥ）への制御チャネル送信のためのよりチャレンジングなＲＦ環境を生み出しうる。さらに、マクロｅノードＢ１１０ａ−ｃと、ピコｅノードＢ１１０ｘとの送信電力レベル間に潜在的に大きな相違（例えば、約２０ｄＢ）があることは、混合された配置では、ピコｅノードＢ１１０ｘのダウンリンク有効通信範囲エリアが、マクロｅノードＢ１１０ａ−ｃのダウンリンク有効通信範囲エリアよりも格段に小さいであろうことを示唆している。
【００４６】
しかしながら、アップリンクの場合では、アップリンク信号の信号強度はＵＥによって管理されるので、何れかのタイプのｅノードＢ１１０によって受信された場合、類似するようになるであろう。大まかに同じ、または、類似しているｅノードＢ１１０のアップリンク有効通信範囲エリアでは、アップリンク・ハンドオフ境界が、チャネル・ゲインに基づいて決定されるだろう。これは、ダウンリンク・ハンドオーバ境界とアップリンク・ハンドオーバ境界との間のミスマッチをもたらしうる。さらなるネットワーク適合が無ければ、このミスマッチは、無線ネットワーク１００における、サーバ選択、または、ｅノードＢに対するＵＥの関連付けを、ダウンリンクおよびアップリンクのハンドオーバ境界がより近く一致しているマクロｅノードＢのみのホモジニアス・ネットワークにおけるよりも、より困難にするであろう。
【００４７】
（ＣＳＩシグナリング）  
現在、ＬＴＥ−Ｒｅｌ−１０は、低い基準信号オーバヘッドをサポートするチャネル状態情報基準信号（ＣＳＩ−ＲＳ）を使用している。ＣＳＩ−ＲＳは、ＵＥにシグナルされる、一定の周期およびサブフレーム・オフセットを有する。ＵＥは、チャネル推定のためにＣＳＩ−ＲＳを処理し、チャネル推定に関連する情報をフィード・バックする。
【００４８】
ＣＳＩ−ＲＳ送信が、例えばＰＳＳ／ＳＳＳ／ＰＢＣＨ／ＳＩＢ１または設定されたページング・サブフレームのような信号と衝突する場合、ＣＳＩ−ＲＳは欠落する。言い換えれば、スケジュールされたＣＳＩ−ＲＳ送信が、例えば、ページング送信を含みうる、設定されたページング・サブフレームのようなこれら信号とオーバラップするのであれば、ＣＳＩ−ＲＳ送信は欠落する。オーバラップとは、ＣＳＩ−ＲＳ送信のうちの少なくとも１つのＲＥ（リソース要素）と、指定された信号のうちの何れかの信号とがオーバラップすることを意味する。
【００４９】
セルのページング・コンフィギュレーションは、ページング送信を含みうるすべてのサブフレームのセットを示す。各ＵＥはさらに、設定されたページング・サブフレームのサブセットにおいて、各ページングを受信するように構成されている。
【００５０】
ＬＴＥネットワークの別の特性は、ミュートすることである。ミュートすることとは、第１のセルによる、少数のリソース要素のブランキングを称する。例えば、第２のセルのＣＳＩ−ＲＳ位置が第１のセルにおいてブランクされ、第２のセルのＣＳＩ−ＲＳのペネトレーションが改善される。ミュートすることで、第２のセルのＣＳＩ−ＲＳは、第１のセルからの干渉を受けない。ミュートされたサブフレームが、第１のセルの、設定されたページング・サブフレームと衝突する場合、ミュートが落とされる（すなわち、ミュートが実行されない）。
【００５１】
図５に示すように、ページングおよびＣＳＩ−ＲＳラジオ・フレームの例が示されている。この例において、サブフレーム９は、ｅノードＢによってページング・サブフレームとして指定されており、ページング情報を含みうる。この例において、ＣＳＩ−ＲＳは、５ミリ秒の周期と、４サブフレームのオフセットとで構成されており、その結果、サブフレーム４およびサブフレーム９が、ＣＳＩ−ＲＳサブフレームとして構成される。それぞれのサブフレーム９では、ページング・ラジオ・フレームとＣＳＩ−ＲＳラジオ・フレームとの両方が情報を含んでいるので、サブフレーム５１０がオーバラップし、ＣＳＩ−ＲＳ送信が欠落する。別の例では、ＣＳＩ−ＲＳラジオ・フレームのみがサブフレーム７に情報を含んでいるのであれば、ＣＳＩ−ＲＳサブフレームは、ページング送信とオーバラップせず、ＣＳＩ−ＲＳ送信は欠落しないだろう。同様に、ページングのために割り当てられた特定のサブフレーム（例えば、サブフレーム９）についてミュートがスケジュールされている場合、ミュートは生じないであろう。
【００５２】
ページング・サブフレームの割当は変更可能であり、システム情報ブロック−２（ＳＩＢ−２）に含まれるパラメータ（ｎＢパラメータ）によって制御される。したがって、ＵＥがこのパラメータを認識しているのであれば、ＵＥは、ＣＳＩ−ＲＳがいつ欠落するのかを認識するであろう。すなわち、ＵＥは、ｎＢパラメータに基づいて、セル特有のページング・サブフレームの場合を判定することができる。
【００５３】
一般に、ページング・サブフレームは、すべてのサブフレームにおいて送信されるとは限らない。むしろ、ページング・サブフレームは、ｎＢパラメータによって定義されたページング・コンフィギュレーションに基づいて送信される。ｎＢパラメータは、次に示す値として、３ＧＰＰ  ＴＳ  ３６．３３１によって定義される。
【００５４】
ｎＢ：ＥＮＵＭＥＲＡＴＥＤ｛４Ｔ，２Ｔ，１Ｔ，１／２Ｔ，１／４Ｔ，１／８Ｔ，１／１６Ｔ，１／３２Ｔ｝。
【００５５】
３ＧＰＰ  ＴＳ  ３６．３０４において定義された方に基づいて、セル特有のページング・サブフレーム（ＳＦ）セットが以下に示される。ここでは、ｎ番目毎のフレームは、システム・フレーム番号（ＳＦＮ）ｍｏｄ  ｎ＝０であるフレームを示す。
【００５６】
ｎＢ＝４Ｔ：すべてのフレームにおいてＳＦ  ０，４，５，９
ｎＢ＝２Ｔ：すべてのフレームにおいてＳＦ  ４，９
ｎＢ＝１Ｔ：すべてのフレームにおいてＳＦ  ９
ｎＢ＝１／２Ｔ：１フレームおきにＳＦ  ９
ｎＢ＝１／４Ｔ：４番目毎にフレームにおいてＳＦ  ９
ｎＢ＝１／８Ｔ：８番目毎のフレームにおいてＳＦ  ９
ｎＢ＝１／１６Ｔ：１６番目毎のフレームにおいてＳＦ  ９
ｎＢ＝１／３２Ｔ：３２番目毎のフレームにおいてＳＦ  ９
例えば、上記情報によれば、ページング・コンフィギュレーションがｎＢ＝４Ｔとして設定されている場合、ページング情報は、各ラジオ・フレームについて、サブフレーム０，４，５，９において送信される。あるいは、別の例では、ページング・コンフィギュレーションがｎＢ＝２Ｔとして設定されている場合、上記情報にしたがって、図５に示されるように、ページング情報は、各ラジオ・フレームについて、サブフレーム４，９で送信される。
【００５７】
現在、ＵＥは、ＵＥのサービス提供セルのｎＢパラメータ値を認識しているが、ＵＥは、近隣セルのｎＢパラメータ値を認識していない。本開示の態様では、システムおよび方法は、近隣セル・ページング・コンフィギュレーションをＵＥへ提供することによって、ＣＳＩ−ＲＳ送信が欠落するか否かをＵＥが判定することを容易にするための無線通信環境におけるサポートを提供する。例えば、ＵＥは、近隣セルのｎＢパラメータ、または、その他のこのような類似の情報をシグナルされうる。同様に、ＵＥは、このシグナリングに基づいて、近隣セルにおいてミュートが生じるか否かを判定しうる。協調マルチポイント（ＣｏＭＰ）シナリオでは、用語「近隣」セルは、例えば統合送信モードにおける第２のサービス提供セルをカバーすることが意図されている。
【００５８】
ＵＥは、ＣＳＩ−ＲＳが特定のサブフレームにおいて存在するか（または欠落している）かを理解するために、ページング・サブフレーム・コンフィギュレーションに基づいて、ＣＳＩ−ＲＳ送信を求めて探索する。特に、ＵＥは、ｎＢパラメータ、または、セル特有のページング・サブフレーム割当を示すその他の等価な情報を認識していなければならない。この情報によって、ＵＥは、ＣＳＩ−ＲＳ送信が欠落しているか否かを判定できるようになる。サービス提供セルに対応するｎＢパラメータ情報（またはページング情報）は、ＵＥのサービス提供セルによってＵＥへシグナルされる。したがって、ＵＥは、どのＣＳＩ−ＲＳ送信が欠落しているのかに基づいて、ＣＳＩ−ＲＳを求めてどこを探索するのかを判定しうる。
【００５９】
例えば、ＣｏＭＰ（協調マルチポイント）シナリオまたはヘテロジニアスなネットワーク・シナリオにおけるように、ＵＥが複数のセルのＣＳＩ−ＲＳを測定する場合には常に、ＵＥは、ＵＥのサービス提供セルに加えて、近隣／攻撃セルのＣＳＩ−ＲＳを測定し、レポートする。ＣｏＭＰシナリオ、ヘテロジニアスなネットワーク・シナリオ、または、ＣＳＩ−ＲＳが複数のセルについて測定される場合における任意のケースでは、ｎＢパラメータ情報は、現在、非サービス提供セルのためには利用可能ではない。本開示によれば、近隣セルに対応するｎＢパラメータ情報は、ＵＥのサービス提供セルまたは近隣セルによって、ＵＥへシグナルされる。したがって、例えば、周期、サブフレーム・オフセット、サブフレーム内位置、ＣＳＩ−ＲＳアンテナ・ポート数等のような情報を含みうる近隣セルのＣＳＩ−ＲＳコンフィギュレーション・パラメータに加えて、近隣セル・ページング・コンフィギュレーション（例えば、ｎＢパラメータ）が、ＵＥへシグナルされる。この情報によって、ＵＥは、ＣＳＩ−ＲＳが近隣セルにおいていつ生じるのかを計算できるようになる。他の構成では、ページング・コンフィギュレーションはシグナルされず、ＵＥは、どのサブフレームが非サービス提供セルのＣＳＩ−ＲＳを有しているのかと、どのサブフレームにおいてＣＳＩが欠落しているのかを通知される。同様の考慮が、近隣セルにおけるミュートにも当てはまる。
【００６０】
１つの構成では、ＵＥは、少なくとも２つのセルに対応するページング・コンフィギュレーションを受信しうる。この構成では、２つのセルは、サービス提供セルと近隣セルである。ＵＥが複数のセルによってサービス提供される協調マルチポイント構成では、近隣セルという用語は、これらサービス提供セルのうちの１つを称しうる。
【００６１】
１つの構成では、非サービス提供セル・ページング・コンフィギュレーション情報（例えば、ｎＢパラメータ）のシグナリングが、近隣セルのＣＳＩ−ＲＳパラメータが伝送されているものと同じセルに追加されうる。近隣セルのページング・コンフィギュレーション（またはｎＢパラメータ情報）が、ＵＥへ送信され、これによって、ＵＥは、どのＣＳＩ−ＲＳ送信が欠落しているのかを判定できるようになる。あるいは、ＵＥは、どのサブフレームが近隣ＣＳＩ−ＲＳを有するかと、どのサブフレームでＣＳＩ−ＲＳが欠落しているのかを通知される。ミュートが生じるか否かを判定する場合、同様に、シグナリングが実行されうる。
【００６２】
さらに、別の構成では、ページング・コンフィギュレーション情報（例えば、ｎＢパラメータ）がバックホール・メッセージに追加される。なぜなら、近隣／攻撃ｅノードＢは、現在、おのおのの他のページング・コンフィギュレーションを認識していないからである。バックホール・メッセージ内にページング・コンフィギュレーションを含めた結果、各ｅノードＢは、近隣のＣＳＩ−ＲＳコンフィギュレーション情報をシグナリングしている場合、ｅノードＢによってサービス提供されているＵＥへ、近隣／攻撃セル・ページング・コンフィギュレーション情報を伝送しうる。同様に、バックホール情報は、ヘテロジニアスなネットワーク・シナリオにおいて有益である。バックホール情報は、Ｓ１インタフェース、Ｘ２インタフェース、または、ＯＡＭ（動作、アドミニストレーション、およびメンテナンス）メッセージを伝送する任意のインタフェースを介して通信されうる。
【００６３】
図６は、パラメータ・シグナリングをページングする方法６００を例示するブロック図の例である。この例において、近隣セル・ページング・コンフィギュレーションを示す情報が受信される。例えば、ブロック６１０では、近隣セルのページング・コンフィギュレーションを含むメッセージが受信される。受信された情報は、次に、ブロック６１２において、オプションで、ＣＳＩ−ＲＳを求めてモニタし、および／または、ミュートされたリソース要素、ＣＳＩ−ＲＳリソース要素、および／または、データ・リソース要素を判定するために使用される。いくつかの構成では、受信された情報はさらに、ＣＳＩフィードバックまたは測定レポートを判定またはレポートするために使用されうる。この判定またはレポートは、サービス提供セルまたは第２の近隣セルのＣＳＩ−ＲＳに対応するリソースが、第１の近隣セルによってミュートされるべきであると受信されたページング・コンフィギュレーションに基づいて判定された場合に、サービス提供セルおよび／または第２の近隣セルのＣＳＩ−ＲＳに基づきうる。
【００６４】
図７に示す別の典型的なブロック図は、ページング・パラメータ・シグナリングの方法を例示する。この方法７００の例では、非サービス提供チャネル状態情報基準信号（ＣＳＩ−ＲＳ）送信がいつ生じるのかを計算するために、情報が受信され使用される。例えば、ブロック７１０では、近隣セルのページング・コンフィギュレーションを含むメッセージが受信される。受信された情報は、次に、ブロック７１２において、近隣セルのＣＳＩ−ＲＳがいつ生じるのかを計算するために使用される。例えば、この情報は、近隣セルのＣＳＩ−ＲＳをいつモニタするのかを判定するため、例えば、データがＣＳＩ−ＲＳ前後にレート・マッチされる協調マルチポイント（ＣｏＭＰ）スキームにおけるようなデータ・リソース要素と、近隣セルのミュートされたリソース要素とを識別するため、および、近隣セル送信によって干渉が引き起こされているか否かを判定するため、に使用されうる。
【００６５】
図８は、パラメータ・シグナリングをページングする方法を例示するブロック図の例である。方法８００の例では、オーバラップする非サービス提供ページングの場合によって、非サービス提供チャネル状態情報基準信号（ＣＳＩ−ＲＳ）送信がいつ欠落またはミュートされるかを示す情報が受信される。例えば、ブロック８１０では、非サービス提供セルのページング・コンフィギュレーションを含むメッセージが受信される。受信された情報は、次に、ブロック８１２において、近隣セルのミュートがいつ生じるのかを計算するために使用される。例えば、この情報は、近隣セルのＣＳＩ−ＲＳをいつモニタするのかを判定するため、例えば、データがＣＳＩ−ＲＳ前後にレート・マッチされる協調マルチポイント（ＣｏＭＰ）スキームにおけるようなデータ・リソース要素と、近隣セルのミュートされたリソース要素とを識別するため、および、近隣セル送信によって干渉が引き起こされているか否かを判定するため、に使用されうる。
【００６６】
図９は、パラメータ・シグナリングをページングする方法を例示するブロック図の例である。方法９００の例では、ページング・コンフィギュレーションを示す情報が受信される。例えば、ブロック９１０では、近隣セルのページング・コンフィギュレーションを含むメッセージが受信される。受信された情報は、次に、ブロック９１２において、設定されたＣＳＩ−ＲＳまたはサブフレームをミュートすることが、近隣セルの、設定されたページング・サブフレームと衝突するか否かを判定するために使用される。
【００６７】
図１０は、近隣セルのページング・コンフィギュレーションを受信する装置１０００の設計を例示する。ブロック１０１０は、近隣セルのページング・コンフィギュレーションを受信するモジュールを含む。ブロック１０２０は、受信されたコンフィギュレーションにしたがって、チャネル状態情報基準信号（ＣＳＩ−ＲＳ）位置と、ミュートされたリソース要素位置とのうちの少なくとも１つを決定するモジュールを含む。図１０におけるモジュールは、プロセッサ、電子デバイス、ハードウェア・デバイス、電子部品、論理回路、メモリ、ソフトウェア・コード、ファームウェア・コード等、またはこれらの任意の組み合わせでありうる。
【００６８】
図１１は、近隣セルのＣＳＩ−ＲＳコンフィギュレーションを受信するための装置１１００の設計を例示する。ブロック１１１０は、近隣セルのチャネル状態情報基準信号（ＣＳＩ−ＲＳ）コンフィギュレーションを受信するモジュールを含む。ブロック１１２０は、受信されたコンフィギュレーションにしたがってＣＳＩ−ＲＳをモニタするモジュールを含む。図１１におけるモジュールは、プロセッサ、電子デバイス、ハードウェア・デバイス、電子部品、論理回路、メモリ、ソフトウェア・コード、ファームウェア・コード等、またはこれらの任意の組み合わせでありうる。近隣セルのＣＳＩ−ＲＳコンフィギュレーションを受信した場合、このコンフィギュレーションは、ＣＳＩ−ＲＳサブフレームまたはミュートされたサブフレームを含むサブフレームをＵＥが識別することを可能にする情報を含みうる。例えば、ＣＳＩ−ＲＳコンフィギュレーションは、サブフレーム・オフセットおよび周期を示しうる。
【００６９】
１つの構成では、無線通信のために構成されたＵＥ１２０は、受信する手段と、判定する手段とを含む。１つの態様では、受信する手段は、前述された手段によって記載された機能を実行するように構成されたプロセッサ（単数または複数）、アンテナ４５２ａ、コントローラ／プロセッサ４８０、メモリ４８２、復調器４５４ａ、および／または、受信プロセッサ４５８でありうる。判定する手段は、コントローラ／プロセッサ４８０、および／または、メモリ４８２でありうる。別の態様では、前述された手段は、前述された手段によって記載された機能を実行するように構成された任意のモジュールまたは任意の装置でありうる。
【００７０】
１つの構成では、無線通信のために構成されたｅノードＢ１１０は、受信する手段と、判定する手段とを含む。１つの態様では、受信する手段は、前述された手段によって記載された機能を実行するための、プロセッサ（単数または複数）、アンテナ４３４ｔ、コントローラ／プロセッサ４４０、メモリ４４２、復調器４３２ｔ、Ｘ−２インタフェース４４１、および／または、受信プロセッサ４３８でありうる。判定する手段は、コントローラ／プロセッサ４４０、および／または、メモリ４４２でありうる。別の態様では、前述された手段は、前述された手段によって記載された機能を実行するように構成された任意のモジュールまたは任意の装置でありうる。
【００７１】
１つの構成では、無線通信のために構成されたＵＥ１２０は、受信する手段と、モニタする手段とを含む。１つの態様では、前述された手段は、前述された手段によって詳述された機能を実行するように構成されたプロセッサ（単数または複数）、アンテナ４５２ａ、コントローラ／プロセッサ４８０、メモリ４８２、復調器４５４ａ、および／または、受信プロセッサ４５８でありうる。別の態様では、前述された手段は、前述された手段によって記載された機能を実行するように構成された任意のモジュールまたは任意の装置でありうる。
【００７２】
別の構成では、無線通信のために構成されたｅノードＢ１１０は、受信する手段と、モニタする手段とを含む。１つの態様では、前述された手段は、前述された手段によって記載された機能を実行するための、プロセッサ（単数または複数）、アンテナ４３４ｔ、受信コントローラ／プロセッサ４４０、メモリ４４２、復調器４３２ｔ、Ｘ−２インタフェース４４１、および／または、受信アンテナ４３８でありうる。別の態様では、前述された手段は、前述された手段によって記載された機能を実行するように構成された任意のモジュールまたは任意の装置でありうる。
【００７３】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、これらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００７４】
本明細書の開示に関連して記載されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、またはステート・マシンでありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００７５】
本明細書の開示に関連して説明された方法またはアルゴリズムのステップは、ハードウェアでダイレクトに、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭ（登録商標）メモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７６】
１または複数の典型的な設計では、記載された機能は、ハードウェア、ソフトウェア、ファームウェア、あるいはこれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。前述した組み合わせもまた、コンピュータ読取可能な媒体の範囲内に含まれるべきである。
【００７７】
本開示の前述された記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願の当初の特許請求の範囲に記載された発明を付記する。
［１］
無線通信の方法であって、
近隣セルのページング・コンフィギュレーションを受信すること、を備える方法。
［２］
前記近隣セルのチャネル状態情報基準信号（ＣＳＩ−ＲＳ）がいつ生じるのかを、前記ページング・コンフィギュレーションから計算すること、をさらに備える［１］に記載の方法。
［３］
サービス提供セルまたは他の近隣セルのＣＳＩ−ＲＳに対応するリソースが、前記近隣セルのページング・コンフィギュレーションに基づいて、前記近隣セルによってミュートされるべきであるといつ判定されるかを、前記サービス提供セルと前記他の近隣セルとのうちの少なくとも１つのＣＳＩ−ＲＳのみに基づいてレポートすること、をさらに備える［１］に記載の方法。
［４］
前記近隣セルのミュートがいつ生じるかを、前記ページング・コンフィギュレーションから計算すること、をさらに備える［１］に記載の方法。
［５］
前記受信することは、ＵＥ（ユーザ機器）において前記ページング・コンフィギュレーションを受信することを備える、［１］に記載の方法。
［６］
前記ＵＥが、複数のセルのページング・コンフィギュレーションを受信する、［５］に記載の方法。
［７］
前記複数のセルが、サービス提供セルと前記近隣セルとを備える、［６］に記載の方法。
［８］
前記受信することは、ｅノードＢにおいて前記ページング・コンフィギュレーションを受信することを備える、［１］に記載の方法。
［９］
前記受信されたページング・コンフィギュレーションをＵＥへ転送すること、をさらにに備える、［８］に記載の方法。
［１０］
前記受信することは、Ｓ１インタフェースと、Ｘ２インタフェースと、動作、アドミニストレーション、およびメンテナンス（ＯＡＭ）メッセージとのうちの少なくとも１つを介して前記ページング・コンフィギュレーションを受信することを備える、［８］に記載の方法。
［１１］
前記ページング・コンフィギュレーションは、近隣セルのＣＳＩ−ＲＳコンフィギュレーションおよびミューティング・コンフィギュレーションのうちの少なくとも１つを含むメッセージに含まれる、［１］に記載の方法。
［１２］
無線通信の方法であって、
近隣セルのチャネル状態情報基準信号（ＣＳＩ−ＲＳ）コンフィギュレーションを受信すること、を備える方法。
［１３］
前記ＣＳＩ−ＲＳコンフィギュレーションによって、ユーザ機器（ＵＥ）は、ＣＳＩ−ＲＳを含むサブフレームまたはミュートされたサブフレームを識別できるようになる、［１２］に記載の方法。
［１４］
前記ＣＳＩ−ＲＳコンフィギュレーションは、オフセットと周期を備える、［１２］に記載の方法。
［１５］
無線通信のための装置であって、
近隣セルのページング・コンフィギュレーションを受信する手段と、
前記受信されたページング・コンフィギュレーションにしたがって、チャネル状態情報基準信号（ＣＳＩ−ＲＳ）位置およびミュートされたリソース要素位置のうちの少なくとも１つを決定する手段と、を備える装置。
［１６］
無線通信のための装置であって、
近隣セルのチャネル状態情報基準信号（ＣＳＩ−ＲＳ）コンフィギュレーションを受信する手段と、
前記受信されたＣＳＩ−ＲＳコンフィギュレーションにしたがってＣＳＩ−ＲＳをモニタする手段と、を備える装置。
［１７］
無線通信のための装置であって、
メモリと、
前記メモリに接続された少なくとも１つのプロセッサとを備え、
前記少なくとも１つのプロセッサは、
近隣セルのページング・コンフィギュレーションを受信し、
前記受信されたページング・コンフィギュレーションにしたがって、チャネル状態情報基準信号（ＣＳＩ−ＲＳ）位置と、ミュートされたリソース要素位置とのうちの少なくとも１つを決定するように構成された、装置。
［１８］
前記少なくとも１つのプロセッサはさらに、サービス提供セルまたは他の近隣セルのＣＳＩ−ＲＳに対応するリソースが、前記近隣セルのページング・コンフィギュレーションに基づいて、前記近隣セルによってミュートされるべきであると判定された場合、前記サービス提供セルと前記他の近隣セルとのうちの少なくとも１つのＣＳＩ−ＲＳのみに基づいてレポートするように構成された、［１７］に記載の装置。
［１９］
前記少なくとも１つのプロセッサはさらに、前記近隣セルのミュートがいつ生じるかを、前記ページング・コンフィギュレーションから計算するように構成された、［１７］に記載の装置。
［２０］
前記近隣セルのページング・コンフィギュレーションが、ＵＥ（ユーザ機器）において受信される、［１７］に記載の装置。
［２１］
前記ＵＥが、複数のセルのページング・コンフィギュレーションを受信する、［２０］に記載の装置。
［２２］
前記複数のセルが、サービス提供セルと前記近隣セルとを備える、［２１］に記載の装置。
［２３］
前記近隣セルのページング・コンフィギュレーションが、ｅノードＢにおいて受信される、［１７］に記載の装置。
［２４］
前記少なくとも１つのプロセッサはさらに、前記受信されたページング・コンフィギュレーションをＵＥへ転送するように構成された、［２３］に記載の装置。
［２５］
前記近隣セルのページング・コンフィギュレーションは、Ｓ１インタフェースと、Ｘ２インタフェースと、動作、アドミニストレーション、およびメンテナンス（ＯＡＭ）メッセージとのうちの少なくとも１つを介して受信される、［２３］に記載の装置。
［２６］
前記ページング・コンフィギュレーションは、近隣セルのＣＳＩ−ＲＳコンフィギュレーションおよびミューティング・コンフィギュレーションのうちの少なくとも１つを含むメッセージに含まれる、［１７］に記載の装置。
［２７］
無線通信のための装置であって、
メモリと、
前記メモリに接続された少なくとも１つのプロセッサとを備え、
前記少なくとも１つのプロセッサは、
近隣セルのチャネル状態情報基準信号（ＣＳＩ−ＲＳ）コンフィギュレーションを受信し、
前記受信されたＣＳＩ−ＲＳコンフィギュレーションにしたがってＣＳＩ−ＲＳをモニタするように構成された、装置。
［２８］
前記ＣＳＩ−ＲＳコンフィギュレーションによって、ユーザ機器（ＵＥ）は、ＣＳＩ−ＲＳを含むサブフレームまたはミュートされたサブフレームを識別できるようになる、［２７］に記載の装置。
［２９］
前記ＣＳＩ−ＲＳコンフィギュレーションは、オフセットと周期を備える、［２７］に記載の装置。
［３０］
無線ネットワークにおける無線通信のためのコンピュータ・プログラム製品であって、
記録された非一時的なプログラム・コードを有する非一時的なコンピュータ読取可能な媒体を備え、前記プログラム・コードは、
近隣セルのページング・コンフィギュレーションを受信するためのプログラム・コードと、
前記受信されたページング・コンフィギュレーションにしたがって、チャネル状態情報基準信号（ＣＳＩ−ＲＳ）位置と、ミュートされたリソース要素位置とのうちの少なくとも１つを決定するためのプログラム・コードとを備える、コンピュータ・プログラム製品。
［３１］
無線ネットワークにおける無線通信のためのコンピュータ・プログラム製品であって、
記録された非一時的なプログラム・コードを有する非一時的なコンピュータ読取可能な媒体を備え、前記プログラム・コードは、
近隣セルのチャネル状態情報基準信号（ＣＳＩ−ＲＳ）コンフィギュレーションを受信するためのプログラム・コードと、
前記受信されたＣＳＩ−ＲＳコンフィギュレーションにしたがってＣＳＩ−ＲＳをモニタするためのプログラム・コードとを備える、コンピュータ・プログラム製品。
【図１】
0005956012.tif 000002
【図２】
0005956012.tif 000003
【図３】
0005956012.tif 000004
【図４】
0005956012.tif 000005
【図５】
0005956012.tif 000006
【図６】
0005956012.tif 000007
【図７】
0005956012.tif 000008
【図８】
0005956012.tif 000009
【図９】
0005956012.tif 000010
【図１０】
0005956012.tif 000011
【図１１】
0005956012.tif 000012